(57)【要約】【課題】ユーザの商品又は役務の購入に応じて、広告を効率的に提供することが可能な現金自動取引装置、管理サーバ装置、現金自動取引システム及び現金自動取引方法を提供すること。【解決手段】１又は複数の商品又は役務の広告情報を記憶する記憶部１６２と、ユーザを識別するユーザ識別部１６４と、ユーザ識別部で識別されたユーザの商品又は役務の購入に関する購入情報を取得する購入情報取得部１６６と、購入情報に基づいて、記憶部に記憶された広告情報の出力を制御する出力制御部１６８とを備えることを特徴とする。【選択図】図１
2009217599.tif 000002
【特許請求の範囲】
【請求項１】
１又は複数の商品又は役務の広告情報を記憶する記憶部と、
ユーザを識別するユーザ識別部と、
前記ユーザ識別部で識別された前記ユーザの商品又は役務の購入に関する購入情報を取得する購入情報取得部と、
前記購入情報に基づいて、前記記憶部に記憶された前記広告情報の出力を制御する出力制御部と、
を備えることを特徴とする、現金自動取引装置。
【請求項２】
前記広告情報は、広告対象とする１又は複数の商品又は役務の情報を含むことを特徴とする、請求項１に記載の現金自動取引装置。
【請求項３】
前記購入情報は、前記ユーザの商品若しくは役務の購入履歴、又は前記ユーザに基づく前記商品若しくは役務の時間情報を含むことを特徴とする、請求項１又は２に記載の現金自動取引装置。
【請求項４】
前記出力制御部は、前記ユーザの商品若しくは役務の購入履歴、又は前記ユーザに基づく前記商品若しくは役務の時間情報と、前記広告対象とする１又は複数の商品又は役務の情報に基づいて、前記広告情報の出力を制御することを特徴とする、請求項３に記載の現金自動取引装置。
【請求項５】
前記出力制御部は、前記購入情報と前記広告情報に基づいて、広告対象とする１又は複数の商品又は役務が前記ユーザによって購入済み又は契約期間中である場合は、購入済み又は契約期間中と判断された前記広告対象とする１又は複数の商品又は役務の広告は表示又は印字しないように制御することを特徴とする、請求項１〜４のいずれかに記載の現金自動取引装置。
【請求項６】
ユーザによって購入された商品又は役務に関する購入情報を受信する購入情報受信部と、
前記購入情報を記憶する記憶部と、
前記ユーザを識別するユーザ識別情報を取得する識別情報取得部と、
前記取得された前記ユーザ識別情報に基づいて、前記記憶部に記憶された前記ユーザの前記購入情報を送信する購入情報送信部と、
を備えることを特徴とする、管理サーバ装置。
【請求項７】
ユーザによる商品又は役務の購入に関して決済処理し、前記ユーザによって購入された商品又は役務に関する購入情報を送信する決済装置と、
前記購入情報を前記決済装置から受信する購入情報受信部と、前記購入情報を記憶する第１の記憶部と、前記ユーザを識別するユーザ識別情報を受信する識別情報受信部と、前記受信された前記ユーザ識別情報に基づいて、前記第１の記憶部に記憶された前記ユーザの前記購入情報を送信する購入情報送信部とを有する管理サーバ装置と、
１又は複数の商品又は役務の広告情報を記憶する第２の記憶部と、前記ユーザを識別するユーザ識別情報を前記管理サーバ装置に送信する識別情報送信部と、前記購入情報を前記管理サーバ装置から受信する購入情報受信部と、前記購入情報受信部が受信した前記購入情報に基づいて、前記第２の記憶部に記憶された前記広告情報の出力を制御する出力制御部とを有する現金自動取引装置と、
を備えることを特徴とする、現金自動取引システム。
【請求項８】
１又は複数の商品又は役務の広告情報を記憶部が記憶するステップと、
ユーザ識別部がユーザを識別するステップと、
購入情報取得部が前記ユーザ識別部で識別された前記ユーザの商品又は役務の購入に関する購入情報を取得するステップと、
出力制御部が、前記購入情報に基づいて、前記記憶部に記憶された前記広告情報の出力を制御するステップと、
を含むことを特徴とする、現金自動取引方法。
【請求項９】
購入情報受信部が、ユーザによって購入された商品又は役務に関する購入情報を受信するステップと、
記憶部が前記購入情報を記憶するステップと、
識別情報取得部が前記ユーザを識別するユーザ識別情報を取得するステップと、
購入情報送信部が前記取得された前記ユーザ識別情報に基づいて、前記記憶部に記憶された前記ユーザの前記購入情報を送信するステップと、
を有することを特徴とする、現金自動取引方法。
【請求項１０】
決済装置が、ユーザによる商品又は役務の購入に関して決済処理し、前記ユーザによって購入された商品又は役務に関する購入情報を送信するステップを含み、
管理サーバ装置において、購入情報受信部が前記購入情報を前記決済装置から受信するステップと、第１の記憶部が前記購入情報を記憶するステップと、識別情報受信部が前記ユーザを識別するユーザ識別情報を受信するステップと、購入情報送信部が、前記受信された前記ユーザ識別情報に基づいて、前記第１の記憶部に記憶された前記ユーザの前記購入情報を送信するステップとを含み、
現金自動取引装置において、第２の記憶部が１又は複数の商品又は役務の広告情報を記憶するステップと、識別情報送信部が前記ユーザを識別するユーザ識別情報を前記管理サーバ装置に送信するステップと、購入情報受信部が前記購入情報を前記管理サーバ装置から受信するステップと、出力制御部が、前記購入情報受信部が受信した前記購入情報に基づいて、前記第２の記憶部に記憶された前記広告情報の出力を制御するステップとを含むことを特徴とする、現金自動取引方法。
【発明の詳細な説明】
【技術分野】
【０００１】
本発明は、現金自動取引装置、管理サーバ装置、現金自動取引システム及び現金自動取引方法に関する。
【背景技術】
【０００２】
金融機関が店舗などに設置する現金自動預け払い機（ＡＴＭ：Automated  Teller  Machine）や、現金自動支払い機（ＣＤ：cash  dispenser）等の現金自動取引装置は、通常、顧客がスムーズに取り引きできるように、表示画面が設けられている。そして、現金自動取引装置において、顧客が口座への現金の預け入れや口座からの現金の引き出し、振り込み等の取り引きを行う際、表示画面には取り引きに関する情報が表示される。また、現金自動取引装置は、取引内容が印刷された取引明細票を顧客に発行する。
【０００３】
顧客が取り引きを行う際、現金自動取引装置の表示画面には、取り引きに関する情報だけでなく、商品又は役務に関する広告が表示される場合がある。また、現金自動取引装置が発行する取引明細票にも、広告が印刷される場合がある。
【０００４】
特許文献１には、顧客が現金自動取引装置で取引する際に発生する手数料を、取引時に顧客が広告を見ることで、広告を提供する提携業者が代理決済する技術が開示されている。特許文献１のように、現金自動取引装置の取引時に広告が表示されたり、取引明細票に広告が印刷されたりすることで、顧客が負担する手数料が減額される方法があった。
【０００５】
また、顧客が広告を見たくない場合、広告再生終了ボタンを押下して、再生途中で広告再生を終了させる方法があった。
【０００６】
【特許文献１】特開２００４−６２４１５号公報
【発明の開示】
【発明が解決しようとする課題】
【０００７】
ところで、従来の現金自動取引装置では、顧客が広告掲載対象商品を既に購入していることで一定期間又は無期限に当該商品を購入することがない場合も、当該商品が掲載された広告が表示画面に表示されたり、取引明細票に印刷されたりしていた。そのため、広告提供者は、顧客に対して購入済みの商品の広告を提供することになり、効率的な広告の提供ができないという問題があった。また、顧客は、購入済みの商品の広告が提供されたとき、ボタンを押下することで、広告の再生や印刷を中止する必要があった。
【０００８】
そこで、本発明は、上記問題に鑑みてなされたものであり、本発明の目的とするところは、ユーザの商品又は役務の購入に応じて、広告を効率的に提供することが可能な、新規かつ改良された現金自動取引装置、管理サーバ装置、現金自動取引システム及び現金自動取引方法を提供することにある。
【課題を解決するための手段】
【０００９】
上記課題を解決するために、本発明のある観点によれば、１又は複数の商品又は役務の広告情報を記憶する記憶部と、ユーザを識別するユーザ識別部と、ユーザ識別部で識別されたユーザの商品又は役務の購入に関する購入情報を取得する購入情報取得部と、購入情報に基づいて、記憶部に記憶された広告情報の出力を制御する出力制御部とを備えることを特徴とする現金自動取引装置が提供される。
【００１０】
上記広告情報は、広告対象とする１又は複数の商品又は役務の情報を含んでもよい。また、上記購入情報は、ユーザの商品若しくは役務の購入履歴、又はユーザに基づく商品若しくは役務の時間情報を含んでもよい。
【００１１】
上記出力制御部は、ユーザの商品若しくは役務の購入履歴、又はユーザに基づく商品若しくは役務の時間情報と、広告対象とする１又は複数の商品又は役務の情報に基づいて、広告情報の出力を制御してもよい。
【００１２】
上記出力制御部は、購入情報と広告情報に基づいて、広告対象とする１又は複数の商品又は役務がユーザにおいて購入済み又は契約期間中である場合は、購入済み又は契約期間中と判断された広告対象とする１又は複数の商品又は役務の広告は表示又は印字しないように制御してもよい。
【００１３】
また、上記課題を解決するために、本発明の別の観点によれば、ユーザによって購入された商品又は役務に関する購入情報を受信する購入情報受信部と、購入情報を記憶する記憶部と、ユーザを識別するユーザ識別情報を取得する識別情報取得部と、取得されたユーザ識別情報に基づいて、記憶部に記憶されたユーザの購入情報を送信する購入情報送信部とを備えることを特徴とする管理サーバ装置が提供される。
【００１４】
また、上記課題を解決するために、本発明の別の観点によれば、ユーザによる商品又は役務の購入に関して決済処理し、ユーザによって購入された商品又は役務に関する購入情報を送信する決済装置と、購入情報を決済装置から受信する購入情報受信部と、購入情報を記憶する第１の記憶部と、ユーザを識別するユーザ識別情報を受信する識別情報受信部と、受信されたユーザ識別情報に基づいて、第１の記憶部に記憶されたユーザの購入情報を送信する購入情報送信部とを有する管理サーバ装置と、１又は複数の商品又は役務の広告情報を記憶する第２の記憶部と、ユーザを識別するユーザ識別情報を管理サーバ装置に送信する識別情報送信部と、購入情報を管理サーバ装置から受信する購入情報受信部と、購入情報受信部が受信した購入情報に基づいて、第２の記憶部に記憶された広告情報の出力を制御する出力制御部とを有する現金自動取引装置とを備えることを特徴とする現金自動取引システムが提供される。
【００１５】
また、上記課題を解決するために、本発明の別の観点によれば、１又は複数の商品又は役務の広告情報を記憶部が記憶するステップと、ユーザ識別部がユーザを識別するステップと、購入情報取得部がユーザ識別部で識別されたユーザの商品又は役務の購入に関する購入情報を取得するステップと、出力制御部が、購入情報に基づいて、記憶部に記憶された広告情報の出力を制御するステップとを含むことを特徴とする現金自動取引方法が提供される。
【００１６】
また、上記課題を解決するために、本発明の別の観点によれば、購入情報受信部が、ユーザによって購入された商品又は役務に関する購入情報を受信するステップと、記憶部が購入情報を記憶するステップと、識別情報取得部がユーザを識別するユーザ識別情報を取得するステップと、購入情報送信部が取得されたユーザ識別情報に基づいて、記憶部に記憶されたユーザの購入情報を送信するステップとを有することを特徴とする現金自動取引方法が提供される。
【００１７】
また、上記課題を解決するために、本発明の別の観点によれば、決済装置が、ユーザによる商品又は役務の購入に関して決済処理し、ユーザによって購入された商品又は役務に関する購入情報を送信するステップを含み、管理サーバ装置において、購入情報受信部が購入情報を決済装置から受信するステップと、第１の記憶部が購入情報を記憶するステップと、識別情報受信部がユーザを識別するユーザ識別情報を受信するステップと、購入情報送信部が、受信されたユーザ識別情報に基づいて、第１の記憶部に記憶されたユーザの購入情報を送信するステップとを含み、現金自動取引装置において、第２の記憶部が１又は複数の商品又は役務の広告情報を記憶するステップと、識別情報送信部がユーザを識別するユーザ識別情報を管理サーバ装置に送信するステップと、購入情報受信部が購入情報を管理サーバ装置から受信するステップと、出力制御部が、購入情報受信部が受信した購入情報に基づいて、第２の記憶部に記憶された広告情報の出力を制御するステップとを含むことを特徴とする現金自動取引方法が提供される。
【発明の効果】
【００１８】
本発明によれば、ユーザの商品又は役務の購入に応じて、広告を効率的に提供することができる。
【発明を実施するための最良の形態】
【００１９】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２０】
（第１の実施形態の構成）
まず、本発明の第１の実施形態に係る現金自動取引システムの構成について説明する。図１は、本実施形態に係る現金自動取引システムを示すブロック図である。
【００２１】
現金自動取引システムは、ネットワーク１０、１２に接続された管理サーバ１０２と、ネットワーク１０を介して管理サーバ１０２と接続され、管理サーバ１０２との間でデータの送受信をする現金決済端末１０４又は電子マネー決済端末１０５と、ネットワーク１２を介して管理サーバ１０２と接続され、管理サーバ１０２との間でデータの送受信をするＡＴＭ（Automated  Teller  Machine：現金自動取引装置）１０６などからなる。
【００２２】
現金決済端末１０４又は電子マネー決済端末１０５は、ユーザによる商品又は役務の購入について決済する。その際、現金決済端末１０４又は電子マネー決済端末１０５は、携帯電話・カード２０を介してユーザの識別情報を取得することができる。管理サーバ１０２は、現金決済端末１０４又は電子マネー決済端末１０５から、ユーザが購入した商品又は役務の情報（以下、商品購入情報ともいう。）を受信し、ユーザ毎に商品購入情報を管理する。そして、ＡＴＭ１０６は、管理サーバ１０２からユーザ毎に商品管理情報を受信し、ユーザが取引する際に提供する広告の対象商品又は役務と照合して、広告の提供の有無を決定する。
【００２３】
次に、管理サーバ１０２、現金決済端末１０４、電子マネー決済端末１０５及びＡＴＭ１０６について詳細に説明する。
【００２４】
まず、図２を参照して、管理サーバ１０２について説明する。図２は、本実施形態に係る管理サーバ１０２を示すブロック図である。
管理サーバ１０２は、管理サーバ装置の一例であり、例えば、ＣＰＵ１１０と、メモリ１１２と、入出力Ｉ／Ｆ１１４と、表示部１１６と、ネットワーク接続部１１８と、記憶部１２０と、商品購入情報送受信部１２２と、ユーザ情報送受信部１２４と、商品購入情報処理部１２６と、ユーザ管理部１２８などからなる。
【００２５】
ＣＰＵ（Central  Processing  Unit）１１０は、プログラムによって演算処理装置及び制御装置として機能し、管理サーバ１０２内に設けられた各構成要素の処理を制御することができる。メモリ１１２は、例えば、ＲＡＭ（Random  Access  Memory）、ＲＯＭ（Read  Only  Memory）、キャッシュメモリなどの記憶装置で構成されている。メモリ１１２は、ＣＰＵ１１０の処理に関するデータ、ＣＰＵ１１０の動作プログラムなどを一時的に記憶する機能を有する。
【００２６】
入出力Ｉ／Ｆ（インターフェース）１１４は、例えば、マウス、キーボード、タッチパネル、ボタン、スイッチ、レバーなどの操作部と、入力信号を生成しＣＰＵ１１０に出力する入力制御部等から構成される。例えば、管理サーバ１０２の管理者は、入出力Ｉ／Ｆ１１４の操作部を操作することによって、管理サーバ１０２にデータを入力したり処理動作を指示したりすることができる。
【００２７】
表示部１１６は、例えば、液晶ディスプレイ（ＬＣＤ）装置、ＣＲＴディスプレイ装置、ランプなどの映像信号を表示する表示装置と、スピーカなどの音声信号を出力する音声出力装置などからなる。例えば、管理サーバ１０２の管理者は、入出力Ｉ／Ｆ１１４で行った操作の結果などを、表示部１１６を介して確認することができる。
【００２８】
ネットワーク接続部１１８は、例えば、通信回線、通信回路、通信デバイスなどで構成されている。ネットワーク接続部１１８は、管理サーバ１０２と現金決済端末１０４、電子マネー決済端末１０５との間、管理サーバ１０２とＡＴＭ１０６との間で、ネットワーク１０、１２を介してデータを送受信することができる。
【００２９】
記憶部１２０は、例えば、ＨＤＤ（ハードディスクドライブ）、フラッシュメモリなどの記憶媒体や記録再生装置で構成されており、データを長期に亘って格納する。記憶部１２０には、例えば、ユーザの商品購入履歴データやユーザ情報データが記録される。なお、記憶部は、第１の記憶部の一例である。
【００３０】
商品購入履歴データは、ユーザ毎に管理され、ユーザが購入した商品又は役務の情報（商品購入情報）、商品の契約期間、ユーザが保有しＡＴＭで使用するキャッシュカードのカード番号、キャッシュカードのカード番号と関連付けされた電子マネーカードのカード番号などからなる。図７に、管理サーバ１０２の記憶部に記録された商品購入履歴データの一例を示す。図７は、商品購入履歴データの一例を示す説明図である。
【００３１】
商品購入履歴データは、例えばカード番号毎に、購入された商品又は役務の商品番号、購入された商品又は役務の商品契約期間を有する。ここで、商品契約期間とは、ユーザが購入した商品又は役務について、ユーザと商品又は役務の提供者との間で契約された契約期間である。
【００３２】
なお、本発明における商品又は役務それぞれと関連付けられた期間（時間情報）は、上記の契約期間に限定されない。例えば、ユーザと商品等提供者との契約がない場合でも、商品又は役務の価値が持続する任意の有効期間、商品等提供者や広告提供者が決定した任意の期間などであってもよい。また、ユーザが商品又は役務を将来的に購入することがない場合は、期間は無期限に設定される。
【００３３】
また、商品購入履歴データは、キャッシュカードのカード番号毎に管理されるとしたが、本発明はかかる例に限定されない。例えば、ユーザを識別できる識別情報であればよく、ユーザ毎に付された識別番号（ユーザＩＤ）で管理されてもよい。このユーザＩＤが複数のキャッシュカードのカード番号や電子マネーカードのカード番号と関連付けられていれば、複数の口座や、複数の金融機関における取引でも共通した商品購入履歴データを参照することができる。
【００３４】
ユーザ情報データは、例えば、ユーザが本実施形態に係る現金自動取引システムを適用したサービスを利用することができる者であるかを判別するための、カード番号、ユーザＩＤやパスワードなどの認証情報である。
【００３５】
商品購入情報送受信部１２２は、ネットワーク１０を介して、現金決済端末１０４、電子マネー決済端末１０５からユーザが購入した商品又は役務に関する情報を受ける。この購入情報には、購入された商品又は役務の商品番号や、契約期間などの時間情報が含まれる。また、商品購入情報送受信部１２２は、購入情報送信部の一例であり、ユーザの識別情報に基づいて、記憶部１２０から商品購入履歴データを読み出し、商品購入情報を、ネットワーク１２を介してＡＴＭ１０６に送る。
【００３６】
ユーザ情報送受信部１２４は、識別情報取得部の一例であり、ネットワーク１０を介して、現金決済端末１０４、電子マネー決済端末１０５から商品又は役務を購入したユーザについてのユーザを識別可能なユーザ情報を受ける。ユーザ情報は、例えば、電子マネーカードに付された識別情報などである。
【００３７】
商品購入情報処理部１２６は、商品購入情報送受信部１２２が受信した商品情報と、ユーザ情報送受信部１２４が受信したユーザ情報に基づいて、ユーザ毎にユーザが購入した商品又は役務の一覧からなる商品購入履歴データを生成する。商品購入情報処理部１２６は、生成した商品購入履歴データを記憶部１２０に記録する。
【００３８】
ユーザ管理部１２８は、ユーザが本実施形態に係る現金自動取引システムを適用したサービスを利用することができる者であるか否かを本人確認する。本人確認は、例えば、現金決済端末１０４、電子マネー決済端末１０５及びＡＴＭ１０６から送信されるカード番号又はユーザＩＤとパスワードとがユーザ情報データとして格納されたカード番号又はユーザＩＤとパスワードに一致するか否かによって判断される。また、ユーザ管理部１２８は、例えば、現金決済端末１０４、電子マネー決済端末１０５、ＡＴＭ１０６又は他の端末からの要求に応じてユーザ情報データベースに格納されたユーザ情報を新規に格納、既存のユーザ情報を削除又は変更する。
【００３９】
なお、管理サーバ１０２における一連の処理は、ハードウェアで処理してもよいし、コンピュータ上のプログラムによるソフトウェア処理で実現してもよい。
【００４０】
次に、図３を参照して、現金決済端末１０４、電子マネー決済端末１０５について説明する。図３は、本実施形態に係る現金決済端末１０４、電子マネー決済端末１０５を示すブロック図である。
【００４１】
現金決済端末１０４、電子マネー決済端末１０５は、決済装置の一例であり、例えば、ＣＰＵ１３０と、メモリ１３２と、入出力Ｉ／Ｆ１３４と、表示部１３６と、ネットワーク接続部１３８と、商品情報読取部１４０と、カード情報読取部１４２と、商品情報処理部１４４と、カード情報処理部１４６などからなる。
【００４２】
現金決済端末１０４と電子マネー決済端末１０５は、それぞれ、ユーザが商品又は役務を購入する際、現金によって決済するか又は電子マネーによって決済するかで異なる。また、現金決済端末１０４と電子マネー決済端末１０５は、それぞれ別体で構成されてもよいし、両者の機能を有して一体的に構成されてもよい。現金決済端末１０４と電子マネー決済端末１０５は、商品や役務を販売する店舗などに設置される。
【００４３】
ＣＰＵ（Central  Processing  Unit）１３０は、プログラムによって演算処理装置及び制御装置として機能し、現金決済端末１０４、電子マネー決済端末１０５内に設けられた各構成要素の処理を制御することができる。メモリ１３２は、例えば、ＲＡＭ（Random  Access  Memory）、ＲＯＭ（Read  Only  Memory）、キャッシュメモリなどの記憶装置で構成されている。メモリ１３２は、ＣＰＵ１３０の処理に関するデータ、ＣＰＵ１３０の動作プログラムなどを一時的に記憶する機能を有する。
【００４４】
入出力Ｉ／Ｆ（インターフェース）１３４は、例えば、マウス、キーボード、タッチパネル、ボタン、スイッチ、レバーなどの操作部と、入力信号を生成しＣＰＵ１３０に出力する入力制御部等から構成される。例えば、現金決済端末１０４、電子マネー決済端末１０５の利用者（店員や商品又は役務の購入者等）は、入出力Ｉ／Ｆ１３４の操作部を操作することによって、管理サーバ１０２にデータを入力したり処理動作を指示したりすることができる。
【００４５】
表示部１３６は、例えば、液晶ディスプレイ（ＬＣＤ）装置、ＣＲＴディスプレイ装置、ランプなどの映像信号を表示する表示装置と、スピーカなどの音声信号を出力する音声出力装置などからなる。例えば、現金決済端末１０４、電子マネー決済端末１０５の利用者（店員や商品又は役務の購入者等）は、入出力Ｉ／Ｆ１３４で行った操作の結果などを、表示部１３６を介して確認することができる。
【００４６】
ネットワーク接続部１３８は、例えば、通信回線、通信回路、通信デバイスなどで構成されている。ネットワーク接続部１３８は、管理サーバ１０２と現金決済端末１０４、電子マネー決済端末１０５との間で、ネットワーク１０を介してデータを送受信することができる。
【００４７】
商品情報読取部１４０は、ユーザが購入した商品又は役務の情報を、商品又は役務に関連付けされたデータから読み取る。商品情報読取部１４０は、例えば、商品に付されたバーコードなどから商品番号などを読み取る。または、商品情報読取部１４０は、入出力Ｉ／Ｆ１３４を介して、店員などの入力によって、商品情報を取得してもよい。このとき、商品情報読取部１４０は、ユーザとの商品契約期間や、商品の有効期間などの時間情報を同時に取得してもよい。電子マネー決済がされない現金決済端末１０４の場合、商品情報読取部１４０は、商品情報と同時に、商品を購入したユーザに関するユーザＩＤ（本実施形態の現金自動取引システムを適用したサービスを受けるためのＩＤ）をユーザから取得する。
【００４８】
カード情報読取部１４２は、ユーザが購入する際に使用した電子マネーカード２０に付されたカード情報（例えば、電子マネーカード２０が備えるＩＣチップ毎の識別情報）を読み取る。カード情報は、ユーザ毎に異なる値を有しており、管理サーバ１０２で、ユーザ毎にキャッシュカードのカード番号などと関連付けされて管理されている。なお、電子マネーカード２０は、電子マネー取引が可能な通常のＩＣカードである。電子マネーカード２０は、電子マネー取引機能を有する携帯電話などの携帯機器であってもよい。
【００４９】
商品情報処理部１４４は、商品情報読取部１４０で取得された商品情報と、カード情報読取部１４２で取得されたカード情報とを関連付けする。そして、関連付けされた商品情報とカード情報からなるデータを管理サーバ１０２に送る。このデータに基づいて、管理サーバ１０２は、ユーザ毎に商品購入履歴データを生成することができる。電子マネー決済がされない現金決済端末１０４の場合、商品情報処理部１４４は、商品情報読取部１４０で取得された商品情報とユーザＩＤとを関連付けして、関連付けしたデータを管理サーバ１０２に送る。
【００５０】
カード情報処理部１４６は、電子マネーカード２０に基づいて、電子マネー取引に関する処理をする。例えば、カード情報処理部１４６は、電子マネー額の読み取り、精算などを行う。
【００５１】
なお、現金決済端末１０４、電子マネー決済端末１０５における一連の処理は、ハードウェアで処理してもよいし、コンピュータ上のプログラムによるソフトウェア処理で実現してもよい。
【００５２】
次に、図４を参照して、ＡＴＭ１０６について説明する。図４は、本実施形態に係るＡＴＭ１０６を示すブロック図である。
【００５３】
ＡＴＭ１０６は、現金自動取引装置の一例であり、例えば、ＣＰＵ１５０と、メモリ１５２と、入出力Ｉ／Ｆ１５４と、表示部１５６と、印刷部１５８と、ネットワーク接続部１６０と、記憶部１６２と、カード情報読取部１６４と、商品購入情報受信部１６６と、広告表示処理部１６８などからなる。
【００５４】
ＡＴＭ１０６は、現金自動預け払い機（ＡＴＭ：Automated  Teller  Machine）や、現金自動支払い機（ＣＤ：cash  dispenser）等であり、現金自動預け払い機（ＡＴＭ：Automated  Teller  Machine）や、現金自動支払い機（ＣＤ：cash  dispenser）等が有する通常の構成や作用についての詳細な説明は省略する。ＡＴＭ１０６は、金融機関の店舗などに設置される。
【００５５】
ＣＰＵ（Central  Processing  Unit）１５０は、プログラムによって演算処理装置及び制御装置として機能し、ＡＴＭ１０６内に設けられた各構成要素の処理を制御することができる。メモリ１５２は、例えば、ＲＡＭ（Random  Access  Memory）、ＲＯＭ（Read  Only  Memory）、キャッシュメモリなどの記憶装置で構成されている。メモリ１５２は、ＣＰＵ１５０の処理に関するデータ、ＣＰＵ１５０の動作プログラムなどを一時的に記憶する機能を有する。
【００５６】
入出力Ｉ／Ｆ（インターフェース）１５４は、例えば、マウス、キーボード、タッチパネル、ボタン、スイッチ、レバーなどの操作部と、入力信号を生成しＣＰＵ１５０に出力する入力制御部等から構成される。例えば、ＡＴＭ１０６のユーザ（金融機関の顧客等）は、入出力Ｉ／Ｆ１１４の操作部を操作することによって、ＡＴＭ１０６にデータを入力したり処理動作を指示したりすることができる。
【００５７】
表示部１５６は、例えば、液晶ディスプレイ（ＬＣＤ）装置、ＣＲＴディスプレイ装置、ランプなどの映像信号を表示する表示装置と、スピーカなどの音声信号を出力する音声出力装置などからなる。例えば、ＡＴＭ１０６のユーザ（金融機関の顧客等）は、入出力Ｉ／Ｆ１５４で行った操作の結果などを、表示部１５６を介して確認することができる。表示部１５６は、例えば、顧客が口座への現金の預け入れや口座からの現金の引き出し、振り込み等の取り引きをしたときの取引内容や、広告表示処理部１６８の処理結果に基づいて商品又は役務の広告などを表示する。
【００５８】
印刷部１５８は、取引内容を取引明細票に印刷したり、広告表示処理部１６８の処理結果に基づいて、取引明細票に商品又は役務の広告を印刷したりする。
【００５９】
ネットワーク接続部１６０は、例えば、通信回線、通信回路、通信デバイスなどで構成されている。ネットワーク接続部１６０は、管理サーバ１０２とＡＴＭ１０６との間で、ネットワーク１２を介してデータを送受信することができる。
【００６０】
記憶部１６２は、例えば、ＨＤＤ（ハードディスクドライブ）、フラッシュメモリなどの記憶媒体や記録再生装置で構成されており、データを長期に亘って格納する。記憶部１６２には、例えば、広告データが記録される。なお、記憶部１６２は、ＡＴＭ１０６内部に内蔵されていてもよいし、ネットワークを介してＡＴＭ１０６本体と接続される構成であってもよい。記憶部１６２は、第２の記憶部の一例である。
【００６１】
広告データは、商品又は役務に関する広告情報であり、商品又は役務固有の商品番号などを有する。広告データと、管理サーバ１０２から送られる商品購入履歴データとは、商品番号が共通化されており、ユーザ毎に対比可能である。
【００６２】
カード情報読取部１６４は、ユーザ識別部の一例であり、ＡＴＭ１０６のユーザが取引する際に使用するキャッシュカードのカード番号を読み取る。また、カード情報読取部１６４は、ＡＴＭ１０６のユーザが有しており、現金決済端末１０４又は電子マネー決済端末１０５で商品又は役務を購入する際に使用する電子マネーカード２０（又は携帯機器）のカード番号を読み取ってもよい。
【００６３】
商品購入情報受信部１６６は、購入情報取得部又は購入情報受信部の一例であり、カード情報読取部１６４で読み取られたカード番号に基づいて管理サーバ１０２が送信した商品購入情報を、管理サーバ１０２から受信する。
【００６４】
広告表示処理部１６８は、カード情報読取部１６４で読み取られたカード番号を管理サーバ１０２に送り、商品購入情報を管理サーバ１０２から読み出す。そして、広告表示処理部１６８は、商品購入情報と、広告データとを比較する。広告表示処理部１６８は、広告対象商品又は役務について、ＡＴＭ１０６のユーザが購入済みであったり、商品契約期間内であったりした場合は、広告を表示又は印刷しないように表示部１５６や印刷部１５８を制御する。一方、広告対象商品又は役務について、ＡＴＭ１０６のユーザが未購入であったり、商品契約期間外であるときは、広告を表示又は印刷するように表示部１５６や印刷部１５８を制御する。広告表示処理部１６８は、識別情報送信部、出力制御部の一例である。
【００６５】
なお、ＡＴＭ１０６における一連の処理は、ハードウェアで処理してもよいし、コンピュータ上のプログラムによるソフトウェア処理で実現してもよい。
【００６６】
（第１の実施形態の動作）
次に、本実施形態に係る現金自動取引システムの動作について説明する。
【００６７】
まず、図５を参照して、ユーザが商品又は役務を購入したときに生じる動作について説明する。図５は、本実施形態に係る現金自動取引システムの商品購入履歴データの保存処理を示すフローチャートである。
【００６８】
まず、商品又は役務の購入者（ユーザ）は、電子マネーカード２０（電子マネー機能を有する携帯機器）などを所有している。そして、商品又は役務を購入する際、現金決済端末１０４又は電子マネー決済端末１０５において、購入する商品に関する商品情報の読み取り又は商品情報の入力が行われる（ステップＳ１０１）。
【００６９】
また、商品又は役務を購入する際、現金決済端末１０４又は電子マネー決済端末１０５において、購入者の識別情報（例えば、電子マネーカード２０のＩＤ等）を電子マネーカード２０などから取得する。そして、商品又は役務の購入に関して、現金決済端末１０４の場合、現金の授受が行われ、電子マネー決済端末１０５の場合、電子マネー取引による電子マネー額の読み取り、精算が行われる（ステップＳ１０２）。
【００７０】
次に、現金決済端末１０４又は電子マネー決済端末１０５は、購入者の識別情報（例えば、電子マネーカード２０のＩＤ等）と、購入された商品又は役務の情報を管理サーバ１０２に送る。そして、管理サーバ１０２は、ユーザ毎に、ユーザが購入した商品又は役務と、商品の契約期間等の時間情報を登録する（ステップＳ１０４）。商品購入情報と商品の契約期間等の時間情報とは、ユーザ毎に商品購入履歴データとして記録される。
【００７１】
次に、図６を参照して、ユーザがＡＴＭ１０６で取引するときに生じる動作について説明する。図６は、本実施形態に係る現金自動取引システムの広告表示・印刷処理を示すフローチャートである。
【００７２】
まず、商品又は役務の購入者であり、金融機関の顧客（ユーザ）は、電子マネーカード２０（電子マネー機能を有する携帯機器）などを所有している。ユーザは、ＡＴＭ１０６において、取引選択後、広告表示・印刷前に電子マネーカード２０をＡＴＭ１０６に読み取らせる。ＡＴＭ１０６は、電子マネーカード２０からユーザの識別情報を取得する（ステップＳ２０１）。なお、ＡＴＭ１０６は、ユーザが取引する際に用いたキャッシュカードからユーザの識別情報を取得してもよい。
【００７３】
次に、ＡＴＭ１０６は、取得した識別情報を管理サーバ１０２に送る。管理サーバ１０２は、識別情報に基づいて記録された商品購入履歴データから、ユーザの商品購入情報を抽出し、管理サーバ１０２は、商品購入情報をＡＴＭ１０６に送る（ステップＳ２０２）。
【００７４】
ＡＴＭ１０６は、取得した商品購入情報と、広告データとを比較する。そして、ＡＴＭ１０６の広告表示処理部１６８は、広告対象商品又は役務について、ユーザが購入済みであるか否か、商品契約期間内であるか否かを判断する（ステップＳ２０３）。広告対象商品又は役務について、ＡＴＭ１０６を使用しているユーザが購入済みである場合、又は商品契約期間内である場合等とＡＴＭ１０６の広告表示処理部１６８が判断した場合は、広告表示処理部１６８はユーザが購入済みである広告対象商品又は役務の広告を表示又は印刷しないように表示部１５６や印刷部１５８を制御する。一方、広告対象商品又は役務について、ＡＴＭ１０６のユーザが未購入であったり、商品契約期間外であるとＡＴＭ１０６の広告表示処理部１６８が判断した場合は、広告表示処理部１６８は広告を表示又は印刷するように表示部１５６や印刷部１５８を制御し、表示部１５６は広告を表示し、又は印刷部１５８は取引明細票に広告を印刷する（ステップＳ２０４）。
【００７５】
例えば、ユーザが商品Ａを購入している場合、広告対象商品がＡ及びＢであったときは、商品Ａは購入されているので、商品Ａの広告表示は行わずに、購入されていない商品Ｂの広告を表示又は印刷する。
ここで、広告対象商品全てが購入又は契約期間内と判断された場合は、広告を表示又は印刷しないように動作してもよい。また、広告対象商品全てが購入又は契約期間内と判断された場合は、商品購入時期や商品契約時期が最も古い商品について広告を表示又は印刷するようにしてもよい。
【００７６】
上記のように、本実施形態によれば、ＩＣカードチップを有する電子マネーカード２０や携帯機器などを用いて、現金決済端末１０４又は電子マネー決済端末１０５で、ユーザ識別情報とともに商品又は役務を購入したのち、ユーザ識別情報と商品購入情報が管理サーバ１０２に記録される。そして、ユーザがＡＴＭ１０６で取引する際、ＡＴＭ１０６が
管理サーバ１０２に記録された商品購入情報を読み出し、参照する。従って、ＡＴＭ１０６のユーザが購入済みであったり、商品契約期間内であったりした場合は、広告を表示したり印刷したりせずに、広告提供の手順がスキップされる。一方、広告対象商品又は役務について、ＡＴＭ１０６のユーザが未購入であったり、商品契約期間外であるときは、広告を表示したり印刷したりすることができる。
【００７７】
ユーザの商品又は役務の購入に応じて、広告を効率的に提供することができ、広告提供の手順がスキップされる場合は、ユーザがＡＴＭ１０６で取引する時間を短縮化することができる。
【００７８】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【図面の簡単な説明】
【００７９】
【図１】本発明の第１の実施形態に係る現金自動取引システムを示すブロック図である。
【図２】同実施形態に係る管理サーバを示すブロック図である。
【図３】同実施形態に係る現金決済端末、電子マネー決済端末を示すブロック図である。
【図４】同実施形態に係るＡＴＭを示すブロック図である。
【図５】同実施形態に係る現金自動取引システムの商品購入履歴データの保存処理を示すフローチャートである。
【図６】同実施形態に係る現金自動取引システムの広告表示・印刷処理を示すフローチャートである。
【図７】商品購入履歴データの一例を示す説明図である。
【符号の説明】
【００８０】
１０、１２      ネットワーク
２０      電子マネーカード
１０２      管理サーバ
１０４      現金決済端末
１０５      電子マネー決済端末
１０６      ＡＴＭ
１１０、１３０、１５０      ＣＰＵ
１１２、１３２、１５２      メモリ
１１４、１３４、１５４      入出力Ｉ／Ｆ
１１６、１３６、１５６      表示部
１１８、１３８、１６０      ネットワーク接続部
１２０、１６２      記憶部
１２２      商品購入情報送受信部
１２４      ユーザ情報送受信部
１２６      商品購入情報処理部
１２８      ユーザ管理部
１４０      商品情報読取部
１４２      カード情報読取部
１４４      商品情報処理部
１４６      カード情報処理部
１５８      印刷部
１６４      カード情報読取部
１６６      商品購入情報受信部
１６８      広告表示処理部
【図１】
2009217599.tif 000003
【図２】
2009217599.tif 000004
【図３】
2009217599.tif 000005
【図４】
2009217599.tif 000006
【図５】
2009217599.tif 000007
【図６】
2009217599.tif 000008
【図７】
2009217599.tif 000009